【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
多孔質の基材と、
少なくとも前記多孔質の基材の表面に一部が露出し、かつ、前記多孔質の基材の内部で前記多孔質の基材に結合するゴム材と、
を有するペン先部材を含む、
ことを特徴とする入力ペン。
【請求項２】
前記多孔質の基材は、前記入力ペンを接触対象物に接触させて往復摺動させた場合に、前記ペン先部材が所定の曲げ強度を有するように、構成されていることを特徴とする請求項１に記載の入力ペン。
【請求項３】
前記ゴム材は、前記入力ペンを接触対象物に接触させて往復摺動させた場合に、前記ペン先部材が所定の柔軟性及び摩擦性を有するように、構成されていることを特徴とする請求項１又は２に記載の入力ペン。
【請求項４】
前記ゴム材は、含浸処理により前記多孔質の基材の内部に浸透する含浸材料であることを特徴とする請求項１乃至３のいずれかに記載の入力ペン。
【請求項５】
前記含浸材料は、前記多孔質の基材の空孔部において小胞を形成し、前記含浸材料が前記多孔質の基材に囲まれていることにより、前記含浸材料と前記多孔質の基材とが結合していることを特徴とする請求項４に記載の入力ペン。
【請求項６】
前記含浸材料の前記小胞は、前記ペン先部材の先端部分の表面において一部が露出していることを特徴とする請求項５に記載の入力ペン。
【請求項７】
前記ペン先部材の前記先端部分は、所定の丸みの半球状又は凸形状を有していることを特徴とする請求項６に記載の入力ペン。
【請求項８】
前記多孔質の基材は、木材又は発泡樹脂を含むことを特徴とする請求項１乃至７のいずれかに記載の入力ペン。
【請求項９】
前記多孔質の基材は、繊維材料を有し、
前記ペン先部材は、前記ゴム材からなる混練材料と前記繊維材料とが混練されて一体的に形成されることで、構成されていることを特徴とする請求項１乃至３のいずれかに記載の入力ペン。
【請求項１０】
前記繊維材料に混練された前記混練材料は、前記繊維材料の繊維間の空間に保持され、前記混練材料の周囲の前記繊維材料に密着することにより、前記混練材料と前記繊維材料とが結合していることを特徴とする請求項９に記載の入力ペン。
【請求項１１】
前記混練材料は、前記ペン先部材の先端部分の表面において、一部が露出していることを特徴とする請求項９又は１０に記載の入力ペン。
【請求項１２】
前記ペン先部材の前記先端部分は、所定の丸みの半球状又は凸形状を有していることを特徴とする請求項１１に記載の入力ペン。
【請求項１３】
前記繊維材料は、ガラス繊維又は炭素繊維又は金属繊維を含むことを特徴とする請求項９乃至１２のいずれかに記載の入力ペン。
【請求項１４】
前記ゴム材は、天然ゴムを含むことを特徴とする請求項１乃至１３のいずれかに記載の入力ペン。
【請求項１５】
前記ゴム材は、ニトリルゴム又はブタジエンゴムを含む有機系合成ゴムからなることを特徴とする請求項１乃至１３のいずれかに記載の入力ペン。
【請求項１６】
前記ゴム材は、シリコンゴム又はフッ素ゴムを含む非有機系合成ゴムからなることを特徴とする請求項１乃至１３のいずれかに記載の入力ペン。
【請求項１７】
前記ペン先部材は、ペン本体の端部に取り付け固定されていることを特徴とする請求項１乃至１６のいずれかに記載の入力ペン。
【手続補正２】
【補正対象書類名】明細書
【補正対象項目名】００１３
【補正方法】変更
【補正の内容】
【００１３】
前記目的を果たすため、本発明の入力ペンの一態様は、多孔質の基材と、少なくとも前記多孔質の基材の表面に一部が露出し、かつ、前記多孔質の基材の内部で前記多孔質の基材に結合するゴム材と、を有するペン先部材を含む、ことを特徴とする。
【手続補正３】
【補正対象書類名】明細書
【補正対象項目名】００１９
【補正方法】変更
【補正の内容】
【００１９】
ペン先部材２０は、略円柱形状を有する基材２２からなり、少なくともタッチパネルとの接触部分である、基材２２の一方の先端部分２１が所定の丸みの半球状、又は、凸形状を有している。ペン先部材２０を構成する基材２２は、多孔質の剛体であって、少なくとも、入力ペン１によるタッチパネルへの入力操作の際に、変形や座屈を生じない十分な曲げ強度を有する部材が適用される。具体的には、基材２２は、後述するゴム材質を有する樹脂材料を含浸処理した際に、基材２２の空孔部に当該樹脂材料が良好に浸透して結合する部材で構成される。例えば木材や発泡樹脂、又は、これらと同等又は類似する特性を有する部材を良好に適用することができる。
【手続補正４】
【補正対象書類名】明細書
【補正対象項目名】００２０
【補正方法】変更
【補正の内容】
【００２０】
また、ペン先部材２０の先端部分２１には、少なくともその半球状の表面に樹脂材料の一部が露出、又は、付着、被覆するように形成されている。具体的には、本実施形態においては、図２（ｂ）に示すように、ペン先部材２０の、少なくとも先端部分２１に、ゴム材質の材料が含浸処理された構成を有している。すなわち、ペン先部材２０の先端部分２１を構成する多孔質の基材２２に、比較的粘度の低い液体状のゴム材質の材料２３を浸透させて結合させることにより、当該材料２３が先端部分２１の基材２２と一体化するとともに、先端部分２１の表面にその一部が露出した構成が得られる。このとき、図２（ｂ）に示すように、多孔質の基材２２に含浸された材料（含浸材料）２３は、基材２２の空孔部において小胞を形成し、しかも当該含浸材料２３が基材２２に囲まれていることにより、含浸材料２３と基材２２とが高い接合強度で結合する。また、この含浸材料２３の小胞は、ペン先部材２０の先端部分２１の表面において、その一部が露出している。
【手続補正５】
【補正対象書類名】明細書
【補正対象項目名】００２１
【補正方法】変更
【補正の内容】
【００２１】
ここで、本実施形態においては、上記のゴム材質の材料（含浸材料）として、例えば、一般的な天然ゴムや、有機系合成ゴム（ニトリルゴム（ＮＢＲ）、ブタジエンゴム（ＢＲ）等）、非有機系合成ゴム（シリコンゴム、フッ素ゴム等）等を適用することができる。また、本実施形態においては、上記のゴム材料の他に、これらのゴム材料と同等又は類似の特性を有するエラストマー材料等の樹脂材料を適用することもできる。なお、このような多孔質の基材にゴム材質の材料を含浸する処理は、例えば汎用の真空含浸装置を用いて容易に実現することができる。
【手続補正６】
【補正対象書類名】明細書
【補正対象項目名】００２８
【補正方法】変更
【補正の内容】
【００２８】
すなわち、本実施形態は、タッチパネルを備えた電子機器が、タッチパネルの表層にガラスや透明アクリル等の透明硬質体を使用した構成を有する場合であっても、入力ペンを用いた入力操作の際に、良好な書き味（柔軟性や摩擦感等の感触）を実現しつつ、表示画面の透過率等を確保して表示画質の劣化を抑制することができる。
【手続補正７】
【補正対象書類名】明細書
【補正対象項目名】００３５
【補正方法】変更
【補正の内容】
【００３５】
第２の実施形態に係る入力ペンは、上述した第１の実施形態に示した入力ペン１と同様に、ペン本体１０と、ペン先部材２０と、を有し、特に、ペン先部材２０の、少なくとも先端部分２１が、例えば図３（ａ）、（ｂ）に示すように、ガラス繊維や炭素繊維、金属繊維等の繊維材料２４と、ゴム材質の材料（混練材料）２５と、が混練して成形された構成を有している。すなわち、ペン先部材２０の先端部分２１を構成する繊維材料２４に、比較的粘度の低いゴム材質の材料を混練して成形することにより、繊維材料２４とゴム材質の材料とが一体化するとともに、先端部分２１の表面にゴム材質の材料の一部が露出した構成が得られる。このとき、繊維材料２４に混練された材料（混練材料）２５は、繊維材料の繊維間の空間に保持され、しかも当該混練材料２５の周囲の繊維材料に密着することにより、混練材料２５と繊維材料２４とが高い接合強度で結合する。また、この混練材料２５は、ペン先部材２０の先端部分２１の表面において、その一部が露出している。
【手続補正８】
【補正対象書類名】明細書
【補正対象項目名】００３６
【補正方法】変更
【補正の内容】
【００３６】
このような構造も、上述した第１の実施形態と同様に、入力ペンとタッチパネルとが接触する界面でのみゴム材質の柔軟性や摩擦性を確保しつつ、ペン先部材２０及びその先端部分２１の剛性を確保することができる。特に、本実施形態においては、ガラス繊維や炭素繊維、金属繊維等の繊維材料とゴム材質の樹脂材料とを混練して成形することにより、ペン先部材２０の内部に強固な繊維が存在しているので、剛性及び耐屈曲性をより向上させることができる。したがって、第２の実施形態においても、入力ペンを用いた入力操作の際に、ペン先をタッチパネルに所定の圧力（筆圧）で接触させて往復摺動した場合であっても、ペン先の座屈、変形、折損、亀裂等の発生を回避しつつ、良好な書き味（柔軟性や摩擦感）を実現することができる。